(57)【要約】      （修正有）【課題】ストラップを電子機器に簡単に着脱可能に取り付けることができ、取り付けた電子機器やケースの落下防止ができるストラップを提供する。【解決手段】ストラップ１００は、吸盤部とストラップ本体２とからなり、吸盤部が、取り付け孔を備えた取付部材１２と、押圧されると弾性変形し、外気の空気圧との差圧によって電子機器を吸着する吸着体１０とを有し、ストラップ本体２が、帯状にかつ人体の手の甲部２１０が挿通する環状に形成され、ストラップ本体２が、取り付け孔にタイトに取り付けられ、吸盤部は、この吸盤部を把持した人の操作がなされると、吸着体１０が人体の手の甲部２１０の中央部２２０に位置するようにストラップ本体２を人体の手の甲部２１０の周りを回動させ、取付部材１２は、吸着された電子機器をストラップ本体２に対してねじり回転させるようになっている。【選択図】図３
0003192868.tif 000002
【実用新案登録請求の範囲】
【請求項１】
携帯可能な電子機器又は該電子機器を収納するケースに取り付けられるストラップにおいて、吸盤部とストラップ本体とからなり、
吸盤部が、取り付け孔を備えた取付部材と、押圧されると弾性変形し、外気の空気圧との差圧によって電子機器又は前記電子機器を収納するケースを吸着する吸着体とを有し、
ストラップ本体が、帯状にかつ人体の手の甲部が挿通する環状に形成され、該ストラップ本体が、吸着部の取り付け孔にタイトに取り付けられ、
吸盤部は、該吸盤部を把持した人の操作がなされると、吸着体が人体の手の甲部の中央部に位置するようにストラップ本体を人体の手の甲部の周りを回動させ、
取付部材は、前記吸着された電子機器又は前記電子機器を収納するケースをストラップ本体に対してねじり回転させること
を特徴とするストラップ。
【考案の詳細な説明】
【技術分野】
【０００１】
本考案は、携帯可能な電子機器又は前記電子機器を収納するケースに取り付けられるストラップに関するものである。
【背景技術】
【０００２】
携帯電話器等の携帯可能な電子機器には、特許文献１、２等に示されるストラップを取り付けて使用することが多い。
【０００３】
特許文献１は、携帯電話器用ストラップに電磁波防止機能と身体健康化機能を持たすことを提案するものであり、携帯電話器にストラップの基端を通し孔に通して固定し、ストラップの先端に、ベース材の片面または両表面に電磁波吸収減衰体を塗布被覆して設けたものを開示する。このように、特許文献１にあっては、携帯電話器用のストラップの基端を通し孔に固定して、携帯電話器用のストラップの先端（自由端）側に面ファスナを設けることで、他の物品をストラップの先端（自由端）に取り付けることができるようにすることを開示するものである。
【０００４】
特許文献２は、ループ状に形成されたストラップ帯体と、その基端側に備えられたストラップ紐とを備えた携帯電話器用のストラップにおいて、ストラップ帯体の外周面の全部もしくは一部に面ファスナを備るようにした携帯電話器用ストラップを開示するものである。この面ファスナによって、摩擦抵抗が増すため、携帯電話器用ストラップのストラップ帯体を手で直接把持、またはストラップ帯体をベルト等に通している場合にも、滑りにくく、不用意に携帯電話器を落してしまうことを防止できる。また、この面ファスナに係合する面ファスナを自動車のダッシュボードに取り付けておくことによって、携帯電話器をダッシュボードに固定することができることも開示されている。このように、特許文献２にあっては、携帯電話器用のストラップの基端を通し孔に固定して、携帯電話器用のストラップの先端（自由端）側のストラップ帯体に面ファスナを設けることで、携帯電話器用のストラップの先端（自由端）を適当な箇所に着脱可能に固定できるようにすること開示するものである。
【先行技術文献】
【特許文献】
【０００５】
【特許文献１】特開２００４−３５８１６１号公報
【特許文献２】登録実用新案第３０４８０３５号公報
【考案の概要】
【考案が解決しようとする課題】
【０００６】
上述の各特許文献に開示するストラップは、人体の誤った操作によって上述の電子機器を落下させてしまった時に、これと一緒に落下してしまい、結果として電子機器を破損させてしまう事象が発生した場合に、このような問題に対処することができないという問題がある。
【０００７】
また、スマートフォンやタブレットパソコン、音楽プレーヤー、電子ゲーム機器等の携帯可能な電子機器では、上記のような通し孔が形成されていないものも多い。このように、通し孔を備えていない携帯可能な電子機器にあっては、上述の各特許文献に開示するストラップを取り付けることができないという問題がある。
【０００８】
本考案は、ストラップを電子機器に簡単に着脱可能に取り付けることができ、またストラップに取り付けた電子機器やケースの落下防止できるストラップを提供することを目的とする。
【課題を解決するための手段】
【０００９】
本考案は、携帯可能な電子機器又は該電子機器を収納するケースに取り付けられるストラップにおいて、吸盤部とストラップ本体とからなり、
吸盤部が、取り付け孔を備えた取付部材と、押圧されると弾性変形し、外気の空気圧との差圧によって電子機器又は前記電子機器を収納するケースを吸着する吸着体とを有し、
ストラップ本体が、帯状にかつ人体の手の甲部が挿通する環状に形成され、該ストラップ本体が、吸着部の取り付け孔にタイトに取り付けられ、
吸盤部は、該吸盤部を把持した人の操作がなされると、吸着体が人体の手の甲部の中央部に位置するようにストラップ本体を人体の手の甲部の周りを回動させ、
取付部材は、前記吸着された電子機器又は前記電子機器を収納するケースをストラップ本体に対してねじり回転させること
を特徴としている。
【考案の効果】
【００１０】
本考案は、ストラップ本体を人体の手の甲部に挿通し、吸盤部を電子機器又は前記電子機器を収納するケースに吸着取付することによって、ストラップを電子機器に簡単に着脱可能に取り付けることができ、またストラップに取り付けた電子機器やケースの落下防止できるストラップを提供することができる。
【図面の簡単な説明】
【００１１】
【図１】本考案の実施例のストラップの概略斜視図である。
【図２】本考案の実施例のストラップの側面図である。
【図３】本考案の実施例のストラップの適用例を示す図であり、ストラップ本体を人体の手の甲に挿通させて、電子機器を吸盤に取付けた時の状態を示す図である。
【考案を実施するための形態】
【００１２】
以下、図面に基づき本考案の実施の形態を説明する。
【００１３】
図１は、本考案の実施例のストラップの概略斜視図であり、図２は、本考案の実施例のストラップの側面図である。本考案の実施例のストラップ１００は、携帯可能な電子機器又は該電子機器を収納するケースに取り付けられるストラップにおいて、吸盤部１とストラップ本体２とからなる。
【００１４】
また、吸盤部１が、取り付け孔１１を備えた取付部材１２と、押圧されると弾性変形し、外気の空気圧との差圧によって電子機器又は該電子機器を収納するケースを吸着する吸着体１０とを有し、ストラップ本体２が、帯状にかつ人体の手の甲部が挿通する環状に形成され、ストラップ本体２が、取り付け孔１１にタイトに取り付けられる。
【００１５】
また、吸盤部１は、この吸盤部１を把持した人の操作がなされると、吸着体１０が人体の手の甲部の中央部に位置するようにストラップ本体２を人体の手の甲部の周りを回動させ、取付部材１２は、前記吸着された電子機器又は該電子機器を収納するケースをストラップ本体２に対して回転方向１６にねじり回転させるようになっている。
【００１６】
本考案のストラップ１００は、スマートフォンやタブレットパソコン、音楽プレーヤー、電子ゲーム機器等の携帯可能で人体の手に収まる大きさの電子機器又はこれら電子機器を収納するケースに適用できる。
【００１７】
ストラップ本体２は、帯状に形成される。帯状に形成することで、このストラップ本体２は、人体の手の甲部が挿通する環状に形成される。つまり、ストラップ本体２の径は人体の手の甲部が入る径と同等かそれ以上とされる。以上のように、帯状かつ環状に形成しておくことで、ストラップ本体２を容易に人体の手の甲部を内部に挿通させることができ、また、人体の手の甲部に挿通させた時に、ストラップ本体２と上記挿通した手の甲部とがそれぞれ締め付け状態となり、ストラップ本体２が容易に手の甲部から外れないようになっている。
【００１８】
また、ストラップ本体２は、いろいろな色を採用でき、また材質をナイロン製としてもよいし、ゴム製としてもよいし、人体の手の甲部が挿通する環状を形成できるものであれば他の材質であってもよい。ここで、ゴム製とすれば、ゴムの有する弾性により、伸縮が可能となり、手の甲部をストラップ本体２内に挿通させたときには、この伸縮性により常に手の甲部に締め付け状態となり、固定状態が保たれるので好ましい。つまり、対象の人体の個人差の影響を受けない。
【００１９】
また、ストラップ本体２がゴム製以外の材質であれば、例えばストラップ本体２の長さを調整可能な図示しない長さ調整機構を備えることにより、対象の人体の手の甲部の大きさによって、長さ調整機構によりストラップ本体２の長さを調整することができ、個人差の影響を受けない。つまり、対象の人体の個人差の影響を受けない。
【００２０】
吸盤部１の取付部材１２は、取り付け孔１１を備える。この取り付け孔１１は、ストラップ本体２を挿通させる孔が形成されており、この取り付け孔１１にストラップ本体２が挿通されるように構成されている。この時、ストラップ本体２は、取り付け孔１１にタイトに取り付けられる。
【００２１】
ここで、取り付け孔１１にタイトに取り付けられたストラップ本体２は、取り付け孔１１を摺動可能とされる。ここで、タイトに取り付けるとは、例えば人の手によって吸盤部１の吸着体１０とストラップ本体２とを把持して、それぞれ反対方向に引っ張り力を働かせないとそれぞれが摺動されない程度の意味を示す。
【００２２】
このようにしておくことで、吸盤部１を把持した人の操作がなされた時、ストラップ本体２は容易に取り付け孔１１を摺動しないために、人の操作により吸盤部１を把持することで、容易に吸着体１０が人体の手の甲部の中央部に位置するようにストラップ本体２を人体の手の甲部の周りを回動させることができる。
【００２３】
また、ストラップ本体２は、取り付け孔１１を摺動可能としておくことで、上述のストラップ本体の長さ調整を設ける場合に、人力によりストラップ本体２を摺動させることで長さ調整機構の位置を邪魔にならない任意の位置に変えることができるので、ストラップ１００の操作性が損なわれることを防止することができる。
【００２４】
また、取付部材１２は、図１に示すように、矩形状に形成してもよい。この場合は、孔部１１の形状は帯体２０の断面形状に沿った孔部を形成することができるので、ストラップ本体２が孔部１１への挿通に伴う変形が低減され、本考案のストラップ１００全体の美観を損なうことを防止することができる。
【００２５】
このように、取付部材１２を構成しているので、取付部材１２が、ストラップ本体２に対して吸盤部１をねじるようにして、すなわち回転方向１６の方向に回転することができる。このとき、ストラップ本体２と取付部材１２との取付状態が解除されることは無い。つまり、取付部材１２を中心として、吸盤部１をストラップ本体２に対して回転方向１６の方向にねじり回転することができる。このようにして、取付部材１２は、吸盤部１が吸着された電子機器又は前記電子機器を収納するケースをストラップ本体２に対して回転方向１６にねじり回転させるようになっている。
【００２６】
吸盤部１の吸着体１０は、押圧されると弾性変形し、外気の空気圧との差圧によって電子機器又は該電子機器を収納するケースを吸着する機能を有する。この吸着体１０は、ゴムや合成樹脂等の可撓性を有する材質が用いられ、押圧力による弾性変形がなされるようになっている。また、吸着体１０は、平滑面部１３と曲面部１４が形成されており、その外形１５は円形状に形成されている。吸着体１０はいわゆる吸盤形状を呈している。このようにして、吸着体１０は上述の電子機器等の物体への吸着取付を容易にする機能を有する。
【００２７】
この吸着体１０による吸着取付の原理は、ゴムや合成樹脂等の可撓性を利用して平滑面部１３に押圧して弾性変形させて対象に接触させ、吸着させた物体と吸着体１０内の空気を排出して、外気の空気圧との差圧を生じさせて対象物へ吸着するようになっている。これにより、吸着体１０は上述した電子機器又はこれら電子機器を収納するケースの平滑面に吸着取付可能とされる。この吸着体１０は、接着剤等と異なり一時的な着脱可能な接着を可能とする。
【００２８】
これによれば、ストラップ本体２に人体の手の甲部を挿通させて締め付け状態とし、電子機器を吸着体１０を介して取り付けた際に、電子機器は取付部材１２を中心として吸盤部１をねじり回転することができるようになり、人体の手の操作によって電子機器を取付部材１２を中心として回動させることができるので、電子機器を吸着体１０で固定したままであっても、この取付部材１２より電子機器は高い操作性が保たれることとなる。
【００２９】
これらの吸盤部１の吸着体１０と取付部材１２は、それぞれ同じ材質により一体に形成してもよいし、それぞれ別の材質により形成し、それぞれを接着剤もしくは取付け部材により取付けてもよい。これによれば、例えば、吸着体１０をゴムや合成樹脂等の材料で形成し、取付部材１２をプラスチック等の材料で形成することにより、強度も確保でき、電子機器や電子機器ケースに吸着取付し易い取付部材１２と吸着体１０を備えた吸盤部１とすることができる。
【００３０】
また、吸盤部１は、吸着体１０と取付部材１２とを一体形成するとき、吸着体１０を平滑面部１３、曲面部１４、外形１５を形成する形状とし、取付部材１２は、図示しないが円柱突起状に形成し、取付部材１２の取り付け孔１１の形状は円筒状に形成したものを用いることで、市販の吸盤取付部材と同様の形状となり、この吸盤取付部材を用いることができるために吸盤部１の材料費を低減することができ、もって経済的なストラップを提供することができる。
【００３１】
図３は、本考案の実施例のストラップの適用例を示す図であり、ストラップ本体を人体の手の甲に挿通させて、電子機器を吸盤に取付けた時の状態を示す図である。
【００３２】
本考案の実施例のストラップ１００は、上述の構成であるので、取付部材１２により、吸盤部１を、取付部材１２対して回転方向１６の方向に回転させることができる。本実施例の場合、吸盤部１の外径１５を円形としており、この場合、取付部材１２を吸盤部１の円周方向と回転方向１６は同じとなり、容易に吸盤部１を取付部材１２を中心としてねじるように回転することができる。
【００３３】
上述の構成である本考案のストラップ１００は、人体の手２００の甲部２１０に取り付けて、吸盤部１を電子機器３００又は図示しない電子機器３００を収容するケースに吸着取付した際に、吸着取付した電子機器３００又は電子機器３００を収容するケースを吸盤部１のねじり回転に伴って取付部材１２を中心として回転することができるので、人体の手２００の甲部２１０と締め付け状態となるストラップ本体２と取付部材１２とが外れることなく、吸盤部１に吸着取付されたまま電子機器３００又は電子機器３００を収容するケースを回転方向１６に回転することができる。
【００３４】
このようにすることで、上記吸盤部１に吸着した電子機器３００又は電子機器３００を収容するケースを自身の手の甲部２１０に取り付けた人が電子機器３００を取付部材１２に対して所望の角度で回動しながら用いることができるし、電子機器３００を誤って落下することを防ぐことができる。つまり本考案のストラップ１００は、上述の構成により、吸着取付した電子機器の操作性を損なうことが無く、電子機器の落下を防止することができる。
【００３５】
また、本考案のストラップ１００は、上述の構成であるので、吸盤部１を把持した人の操作がなされた時、ストラップ本体２は容易に取り付け孔１１を摺動しないために、人の操作により吸盤部１を把持することで、容易に吸着体１０が人体の手２００の甲部２１０の中央部２２０に位置するようにストラップ本体２を人体の手の甲部の周りを回動させることができるので、電子機器３００の吸着取付を所望の位置に容易にすることができる。このようにしておくことで、吸着取付した電子機器３００の操作性を損なわず、かつ落下防止をしっかりとすることができる。
【００３６】
このように、本考案によれば、ストラップ本体を人体の手の甲部に挿通し、吸盤部を電子機器又は前記電子機器を収納するケースに吸着取付することによって、ストラップを電子機器に簡単に着脱可能に取り付けることができ、またストラップに取り付けた電子機器やケースの落下防止できるストラップを提供することができる。
【符号の説明】
【００３７】
１…吸盤部、２…ストラップ本体、１０…吸着体、１１…取り付け孔、１２…取付部材、２０…帯体、１６…取付部材の回転方向、１００…ストラップ、２１０…人体の手の甲部、２２０…人体の手の甲部の中央部、３００…電子機器。
【図１】
0003192868.tif 000003
【図２】
0003192868.tif 000004
【図３】
0003192868.tif 000005